(57)【要約】【課題】位置指定時の動きを文字の配列方向にのみ限定することによってより正確で、且つ、迅速な文字列の指定や範囲指定等の作業を可能にすることを課題とする。【解決手段】液晶ディスプレイ２２等の表示手段を有し、キーボード操作によるテキスト変換プログラム、音声信号のテキスト変換プログラム、光学的手法による文字認識プログラム等の適宜のテキスト入力プログラムによって上記表示手段の表示面２２ａ上に表示されているカーソル位置に文字情報を表示するパーソナルコンピュータ等の文字情報処理機器と、該文字情報処理機器に接続されたリモートコントロール装置３０を備えており、上記リモートコントロール装置は、上記カーソルを文字の配列方向にのみ移動させる移動操作子３２と、少なくとも上記表示面上に表示されている文字情報のうち選択する文字列の始点、終点の位置指定及び範囲確定を行う選択操作子３３、３４、３５とを備える。【選択図】        図１
2005018213.tif 000002
【特許請求の範囲】
【請求項１】
表示手段を有し、キーボード操作によるテキスト変換プログラム、音声信号のテキスト変換プログラム、光学的手法による文字認識プログラム等の適宜のテキスト入力プログラムによって上記表示手段の表示面上に表示されているカーソル位置に文字情報を表示する文字情報処理機器と、該文字情報処理機器に接続されたリモートコントロール装置を備えた文字情報入力装置であって、
上記リモートコントロール装置は、上記カーソルを文字の配列方向にのみ移動させる移動操作子と、少なくとも上記表示面上に表示されている文字情報のうち選択する文字列の始点、終点の位置指定及び範囲確定を行う選択操作子とを備えた
ことを特徴とする文字情報入力装置。
【請求項２】
上記移動操作子は筐体に回転自在に支持されている
ことを特徴とする請求項１に記載の文字情報入力装置。
【請求項３】
上記移動操作子は筐体にスライド自在に支持されている
ことを特徴とする請求項１に記載の文字情報入力装置。
【請求項４】
表示手段を有し、キーボード操作によるテキスト変換プログラム、音声信号のテキスト変換プログラム、光学的手法による文字認識プログラム等の適宜のテキスト入力プログラムによって上記表示手段の表示面上に表示されているカーソル位置に文字情報を表示することができる文字情報処理機器に接続されて上記表示面上に表示された文字情報に対する処理を行う文字情報入力装置におけるリモートコントロール装置であって、
上記カーソルを文字の配列方向にのみ移動させる移動操作子と少なくとも上記表示面上に表示されている文字情報のうち選択する文字列の始点、終点の位置指定及び範囲確定を行う選択操作子とを備えた
ことを特徴とする文字情報入力装置におけるリモートコントロール装置。
【請求項５】
上記移動操作子は筐体に回転自在に支持されている
ことを特徴とする請求項４に記載の文字情報入力装置におけるリモートコントロール装置。
【請求項６】
上記移動操作子は筐体にスライド自在に支持されている
ことを特徴とする請求項４に記載の文字情報入力装置におけるリモートコントロール装置。
【請求項７】
キーボード操作によるテキスト変換プログラム、音声信号のテキスト変換プログラム、光学的手法による文字認識プログラム等の適宜のテキスト入力プログラムによって表示手段の表示面上に表示されているカーソル位置に文字情報を表示させる文字情報処理機器に接続したリモートコントロール装置によって上記表示面上に表示された文字情報に対する処理を行う文字情報入力方法であって、
上記リモートコントロール装置は移動操作子と選択操作子を備え、
上記移動操作子の操作によって上記カーソルを文字の配列方向にのみ移動させ、
上記選択操作子の操作によって上記表示面上に表示されている文字情報のうち選択する文字列の始点、終点の位置指定及び範囲確定を行う
ことを特徴とする文字情報入力方法。
【請求項８】
上記移動操作子を回転させることによって上記カーソルを文字の配列方向にのみ移動させる
ことを特徴とする請求項７に記載の文字情報入力方法。
【請求項９】
上記移動操作子をスライドさせることによって上記カーソルを文字の配列方向にのみ移動させる
ことを特徴とする請求項７に記載の文字情報入力方法。
【発明の詳細な説明】
【０００１】
【発明の属する技術分野】
本発明は新規な文字情報入力装置、文字情報入力装置におけるリモートコントロール装置及び文字情報入力方法に関する。詳しくは、文字情報入力装置によって文字情報の入力を行う際の変換済み文字列の再変換作業や編集作業等における文字列の指定や範囲指定等の作業を迅速且つ正確に行えるようにする技術に関する。
【０００２】
【従来の技術】
ワードプロセッサー（以下、「ワープロ」という）専用機は勿論、ワープロソフトがインストールされたパーソナルコンピューター等による各種文書等の作成を行うための文字情報入力技術は近時著しい進歩を遂げており、キーボードの操作による文字入力の他に、音声認識ソフトと称される音声認識（Ｖｏｉｃｅ  Ｒｅｃｏｇｎｉｔｉｏｎ）技術を用いた音声信号のテキスト変換プログラム、ＯＣＲソフトと称される光学的手法による文字認識（Ｏｐｔｉｃａｌ  Ｃｈａｒａｃｔｅｒ  Ｒｅｃｏｇｎｉｔｉｏｎ）技術を用いた光学的手法による文字認識プログラム等、簡易に文字情報の入力を行うことができる技術が開発され、且つ、発展してきていて、正しい文字の認識率も高くなってきている。
【０００３】
しかしながら、認識率が高くなってきているとは言っても、入力とそれに続く変換操作によって直ちに正確な文字に変換された文章が出来上がるというわけには行かず、幾つかの正しい文字への変換操作が必要になるのが実情である。
【０００４】
そして、正しい文字に変換されていない文字列に関して別候補文字を表示させるには、通常当該文字列の先頭にカーソルを移動させて始点を指定し、次いで、当該文字列の後尾にカーソルを移動させて終点を指定するといういわゆる範囲指定の操作が必要になる。かかる範囲指定を行う場合、現在では一般的にマウスを使用し、マウスポインタを始点位置に移動させて終点位置までドラッグするという手段が用いられ（特許文献１参照）ている。
【０００５】
【特許文献１】
特許公開２０００−３９９６３号公報（段落番号０００５、図２）
【０００６】
【発明が解決しようとする課題】
しかしながら、マウスポインタは２次元方向に移動するため、画面上の特定の位置に移動させるのが意外と難しく、マウスの操作に慣れた者でも目的位置から数文字ずれたり、行がずれたりという位置ズレをしてしまうことがしばしば起きる。特に、ドラッグはクリックボタンを押したままマウスを移動させるという操作になるため、所望の範囲を指定することができないことがある。特に、マウスの操作に慣れていない者にあっては、マウスポインタが目的位置にあった場合でも、クリックボタンを押した途端にマウスポインタが動いてしまうと言うことが起こりがちである。
【０００７】
そこで、本発明は、位置指定時の動きを文字の配列方向にのみ限定することによってより正確で、且つ、迅速な文字列の指定や範囲指定等の作業を可能にすることを課題とする。
【０００８】
【課題を解決するための手段】
上記した課題を解決するため、本発明文字情報入力装置は、表示手段の他、キーボード操作によるテキスト変換プログラム、音声信号のテキスト変換プログラム、光学的手法による文字認識プログラム等の適宜のテキスト入力プログラムを備えた文字情報処理機器と、該文字情報処理機器に接続されたリモートコントロール装置を備え、上記リモートコントロール装置は、上記表示装置の表示面上に表示されるカーソルを文字の配列方向にのみ移動させる移動操作子と少なくとも上記表示面上に表示されている文字情報のうち選択する文字列の始点、終点の位置指定及び範囲確定を行う選択操作子とを備えたものである。
【０００９】
また、本発明文字情報入力装置におけるリモートコントロール装置は、上記した課題を解決するために、表示手段の表示面上に表示されるカーソルを文字の配列方向にのみ移動させる移動操作子と少なくとも上記表示面上に表示されている文字情報のうち選択する文字列の始点、終点の位置指定及び範囲確定を行う選択操作子とを備えたものである。
【００１０】
さらに、本発明文字情報入力方法は、上記した課題を解決するために、キーボード操作によるテキスト変換プログラム、音声信号のテキスト変換プログラム、光学的手法による文字認識プログラム等の適宜のテキスト入力プログラムによって表示手段の表示面上に表示されているカーソル位置に文字情報を表示させる文字情報処理機器に接続したリモートコントロール装置によって上記表示面上に表示された文字情報に対する処理を行う文字情報入力方法であって、上記リモートコントロール装置は移動操作子と選択操作子を備え、上記移動操作子の操作によって上記カーソルを文字の配列方向にのみ移動させ、上記選択操作子の操作によって上記表示面上に表示されている文字情報のうち選択する文字列の始点、終点の位置指定及び範囲確定を行うようにしたものである。
【００１１】
従って、本発明にあっては、移動操作子の操作によってカーソルは文字の配列方向にのみ移動する。
【００１２】
【発明の実施の形態】
以下に、本発明の実施の形態を添付図面を参照して説明する。以下に示す実施の形態は、本発明をいわゆる音声認識ソフトをインストールしたパーソナルコンピュータを文字情報処理機器とし、該パーソナルコンピュータにリモートコントロール装置を接続して構成した文字情報入力装置に適用したものである。
【００１３】
図１に文字情報入力装置１０の全体構成を示す。文字情報処理機器としてのパーソナルコンピュータ２０はパーソナルコンピュータ本体（以下、「パソコン本体」という）２１と該パソコン本体２１に接続された表示手段としての液晶ディスプレイ２２及びキーボード２３で構成されている。
【００１４】
パソコン本体２１は筐体内に図示しない中央演算装置（ＣＰＵ）、リードオンリーメモリ（ＲＯＭ）、ランダムアクセスメモリ（ＲＡＭ）、ハードディスク等の記憶装置、各種インターフェース等を備え、ハードディスク等の記憶装置にＯＳ（Ｏｐｅｒａｔｉｎｇ  Ｓｙｓｔｅｍ）と称される基本ソフトウエアの他、上記した音声認識ソフト等の各種アプリケーションソフトウエアが格納されており、必要に応じて所望のアプリケーションソフトウエアの基本動作部分がＲＡＭに呼び出されて使用に供される。例えば、音声認識ソフトが使用されることによってパーソナルコンピュータ２０は音声認識（Ｖｏｉｃｅ  Ｒｅｃｏｇｎｉｔｉｏｎ）技術を用いた文字情報処理機器として機能することになる。なお、キーボードによる文字情報の入力を行う通常のワープロソフトを使用する文字情報処理機器としては、上記したパソコン本体２１に液晶ディスプレイ２２とキーボード２３が接続されて構成されるが、音声認識ソフトを使用する場合には音声入力手段、例えば、マイクロフォン２４の接続が必要であり、また、ＯＣＲソフトを使用する場合には、イメージスキャナ等の光学的文字読取装置の接続が必要になる。本実施の形態では、音声認識ソフトを使用するので、音声入力手段としてマイクロフォン２４がパソコン本体に接続されている。
【００１５】
上記液晶ディスプレイ２２及びキーボード２３等の機器のパソコン本体２１への接続はインターフェースを介して為される。図示した例では、液晶ディスプレイ２２、キーボード２３及びマイクロフォン２４は接続ケーブルでパソコン本体２１に接続されている例を示しているが、これらの接続は、無線通信手段、赤外線通信手段等のコードレスの通信手段によって接続しても良い。また、図示した例では、パソコン本体とディスプレイが別体に構成されたものを示したが、いわゆるノート型パーソナルコンピュータのように、パソコン本体とディスプレイとを折り畳み自在に連結して構成しても良い。
【００１６】
なお、上記した例では、表示手段として液晶表示パネルを使用した液晶ディスプレイ２２が用いられたが、表示手段の表示方式は特に問うものではない。例えば、ＣＲＴ（Ｃａｔｈｏｄｅ  Ｒａｙ  Ｔｕｂｅ）を用いたＣＲＴディスプレイ、プラズマディスプレイパネルを用いたプラズマディスプレイ等適宜の表示方式による表示手段を用いることができる。
【００１７】
本発明文字情報入力装置１０を構成するためには、上記のように構成された文字情報処理機器であるパーソナルコンピュータ２０にリモートコントロール装置３０を接続する必要がある。具体的には、リモートコントロール装置３０をインターフェースを介してパソコン本体２１に接続する必要がある。リモートコントロール装置３０は、図１及び図２でよく分かるように、扁平な筐体３１の上面に配設された移動操作子３２と選択操作子３３、３４、３５を備える。移動操作子３２は円板状に形成され、筐体３１の上面に回転自在に支持されている。移動操作子３２の上面の周辺寄りの位置には操作時に指の先端をあてがうための操作凹部３２ａが形成されている。選択操作子３３、３４、３５は押しボタン形式のものであり、３３は始点選択ボタンとして、３４は終点選択ボタンとして、３５は決定ボタンとして、それぞれ機能する。
【００１８】
図３にリモートコントロール装置３０の回路構成の概要を示す。リモートコントロール装置３０の回路４０には移動操作子３２に関して回転角度検出部４１と回転方向検出部４２が設けられ、また、選択操作子３３、３４、３５に関して操作検出部４３が設けられている。
【００１９】
回転角度検出部４１は移動操作子３２の回転操作の角度を検出し、移動操作子３２の１クリック分の回転毎に１パルスを発生して制御部４４に送出する。回転方向検出部４２は移動操作子３２の回転操作の方向を検出し、回転操作の方向に応じた検出信号を制御部４４に送出する。
【００２０】
操作検出部４３が選択操作子３３、３４、３５の何れが押下されたかの検出を行い、その検出信号を制御部４４に送出する。
【００２１】
制御部４４は上記各検出部４１、４２、４３から送出された信号を受けて、該信号に応じた制御信号をパーソナルコンピュータ２０に送出する。
【００２２】
リモートコントロール装置３０には電源供給部４５が設けられていて、該電源供給部４５にパーソナルコンピュータを介して電源が供給されると、該電源供給部４５から制御部４４に電源が供給されるようになっている。
【００２３】
上記したリモートコントロール装置３０は筐体３１から導出された接続ケーブル３５を介して上記パソコン本体２１のインターフェースに、例えば、ＵＳＢ（Ｕｎｉｖｅｒｓａｌ  Ｓｅｒｉａｌ  Ｂｕｓ）接続によって接続されている。なお、リモートコントロール装置３０は接続ケーブルによる接続以外の接続、例えば、無線通信手段、赤外線通信手段等のコードレスの通信手段によってパソコン本体２１に接続しても良い。
【００２４】
移動操作子３２は表示装置２２の表示面上に表示されているカーソルの移動に使用される。すなわち、移動操作子３２は図２における時計回り方向（矢印ＣＷ方向）及び反時計回り方向（矢印ＣＣＷ方向）に回転操作され、１クリック毎に所定の角度ずつ回転される。そして、例えば、１クリック毎にカーソルが１文字分移動される。従って、例えば、日本語の横書き入力をしている場合に、移動操作子３２を時計回り方向ＣＷに回転させると、カーソルが１クリック毎に一文字ずつ左から右へ移動し、また、移動操作子３２を反時計回り方向に回転させると、カーソルが１クリック毎に一文字ずつ右から左へ移動する。日本語の縦書き入力をしている場合に、移動操作子３２を時計回り方向ＣＷに回転させると、カーソルが１クリック毎に一文字ずつ上から下へ移動し、また、移動操作子３２を反時計回り方向に回転させると、カーソルが１クリック毎に一文字ずつ下から上へ移動する。すなわち、移動操作子３２の回転操作によって、カーソルを文字の配列方向にのみ、降順及び昇順に移動させることができる。従って、移動操作子３２が時計回り方向ＣＷに回転された時にカーソルが行末にあったときは、カーソルは１行下の行の行頭へと移動していき、また、移動操作子３２が反時計回り方向ＣＣＷに回転された時にカーソルが行頭にあったときは、カーソルは１行上の行の行末へと移動する。
【００２５】
さらに、再変換を必要とする文字列を選択して別候補選択メニューが表示されている状態で、移動操作子３２を回転操作すると、別候補選択カーソルが表示されている文字列上を移動する。例えば、移動操作子３２を時計回り方向に回転させると、別候補選択カーソルが降順に移動され、また、移動操作子３２を反時計回り方向に回転させると、別候補選択カーソルが昇順に移動される。このように、音声認識ソフトの状態、例えば、入力状態か変換状態か等に応じて移動操作子３２の操作に異なる機能を割り当てることができる。
【００２６】
選択操作子３３を押下すると、カーソルが位置している箇所が選択する文字列の始点に指定され、また、選択操作子３４を押下すると、カーソルが位置している箇所が選択する文字列の終点に指定されると同時に再変換を必要とする文字列が選択される。
【００２７】
そして、選択操作子３５を押下すると、上記操作によって選択された再変換を必要とする文字列の別候補選択メニュー中の別候補選択カーソルが位置している別候補文字列への変換が確定する。
【００２８】
先ず、文字情報入力装置１０の基本動作を図４に示すフローチャートを参照して説明する。
【００２９】
パーソナルコンピュータ２０において音声認識ソフトが起動される（ステップ１（Ｓ１））と、文字入力が可能な状態になる。
【００３０】
そこで、マイクロフォン２４に向かって所望の言葉を発生する、すなわち、音声を入力すると（ステップ２（Ｓ２））、マイクロフォン２４を介して入力された音声を認識して、入力された音声に対応した文字列に変換され（ステップ３（Ｓ３））、該文字列が液晶ディスプレイ２２の表示面２１ａ上のカーソルが位置していた箇所から順次表示される（ステップ４（Ｓ４））。
【００３１】
ステップ５（Ｓ５）では操作者によって、液晶ディスプレイ２２に表示されている文字列が正しいか否かの判断がなされ、正しければ（ＹＥＳ）ステップ６（Ｓ６）に進み、正しくなければ（ＮＯ）ステップ７（Ｓ７）に進む。
【００３２】
ステップ６（Ｓ６）で音声認識ソフトを終了させ、次いで、ステップ８（Ｓ８）で作業を終了する。なお、通常、終了操作は、完成した文書等の文字情報をプリンタ、インターネット等に出力したり、ハードディスクやリムーバブルの記録媒体に保存したりして全作業を終了する。
【００３３】
ステップ７（Ｓ７）では、文字列の再変換を行った後ステップ５（Ｓ５）に進む。
【００３４】
次に、図５乃至図１２を参照して、上記ステップ７（Ｓ７）の文字列の再変換作業の詳細を説明する。図５は文字列再変換作業の流れをフローチャートで示し、図６乃至図１２は文字列再変換作業の各段階における画面例を示すものである。
【００３５】
マイクロフォン２４を使用しての音声入力を行った（ステップ１０１（Ｓ１０１）後、操作者がステップ１０２（Ｓ１０２）で入力終了か否かの判断をし、入力終了（ＹＥＳ）であればステップ１０３（Ｓ１０３）に進み、終了していなければ（ＮＯ）、引き続き音声入力操作を行う（ステップ１０１（Ｓ１０１））。音声認識ソフトを使用して文章の入力を行う場合は、通常、数百字の入力をしてから校正作業を行うのが普通である。ここではステップ１０１（Ｓ１０１）で、「きょうとうきょうはいちにちあめでした」という一文を入力したものとして説明する。
【００３６】
ステップ１０３（Ｓ１０３）で音声認識ソフトが文字列変換動作、すなわち、かな漢字変換の動作を行う。
【００３７】
文字列変換動作（ステップ１０３（Ｓ１０３）が為されると、ステップ１０４（Ｓ１０４）で液晶ディスプレイ２２の表示面２２ａ上にかな漢字変化されて一応確定した、例えば、「今日投票は１インチ雨でした。」という文５１（図７参照）が表示されるので、それを確認してステップ１０５（Ｓ１０５）に進む。
【００３８】
ステップ１０５（Ｓ１０５）では、操作者が、変換された文字列が正しいか否かの判断を行い、正しければ（ＹＥＳ）ステップ１０６（Ｓ１０６）に進み、正しくなければ（ＮＯ）ステップ１０７（Ｓ１０７）に進む。
【００３９】
文字列が正しく変換されていれば、ステップ１０６（Ｓ１０６）で校正作業を終了する。
【００４０】
ステップ１０５（Ｓ１０５）で正しい文字列でないと判断された場合は、、移動操作子３２を回転操作してカーソルを再変換を必要とする文字列の先頭の文字、上記例では文字「投」の上に移動させ（ステップ１０７（Ｓ１０７））てから選択操作子３３を押下することによって始点として「投」を選択し（ステップ１０８（Ｓ１０８））選択文字列の始点を指定する。これによって、文字「投」が再変換を必要とする文字列の先頭であると記憶される（ステップ１０９（Ｓ１０９））。
【００４１】
次いで、移動操作子３２を時計回り方向ＣＷに２クリック回転させ、再変換を必要とする文字列の後尾の文字、上記例では文字「は」の上に移動させ（ステップ１１０（Ｓ１１０））てから選択操作子３４を押下することによって終点として「は」を選択し（ステップ１１１（Ｓ１１１））選択文字列の終点を指定する。これによって、文字「は」が再変換を必要とする文字列の後尾であると記憶される（ステップ１１２（Ｓ１１２））。
【００４２】
これによって、「投票は」が再変換を必要とする文字列として選択され（図８参照）て文字列選択カーソル２５が文字列「投票は」の上で点滅し、さらに、ステップ１１３（Ｓ１１３）で別候補選択メニュー２６に一乃至複数の別候補の文字列２６ａ、２６ｂ、・・・が表示される（図９参照）。
【００４３】
そこで、ステップ１１４（Ｓ１１４）で別候補文字列２６ａ、２６ｂ、・・・の中から正しい文字列２６ａ「東京は」を選択し、選択操作子３５を押下して変換文字列を「東京は」に確定する（ステップ１１５（Ｓ１１５））と、文字列「投票は」が文字列「東京は」に書き換えられ（ステップ１１６（Ｓ１１６））（図１０参照）て再変換作業が終了する。
【００４４】
上記ステップ１１４（Ｓ１１４）における文字列の選択作業にも、移動操作子３２を使用することができる。すなわち、選択操作子３２を時計回り方向ＣＷに回転させると、別候補選択カーソル２７が上から下へ移動し、また、選択操作子３２を反時計回り方向ＣＣＷに回転させると、別候補選択カーソル２７が下から上へ移動する。なお、別候補選択カーソル２７が最下段又は最上段まで移動すると、再び最上段から又は最下段から移動を続ける。
【００４５】
なお、上記した例では、文字列「１インチ」に関しても同様の操作が行われて、文字列「一日」に書き換えられる（図１１、図１２参照）。
【００４６】
上記した文字情報入力装置にあっては、カーソルを移動させるための移動操作子によってカーソルは文字の配列方向にのみしか移動しないため、操作に特別の熟練を要すること無しに、カーソルを所望の位置に素早く正確に移動させることができる。また、選択操作子３３、３４、３５を押下したときに、仮にリモートコントロール装置３０が微動することがあっても、それによって移動操作子３２が回転されるわけではないので、カーソルの位置が目的とする文字からずれてしまうようなことはない。
【００４７】
なお、上記した実施の形態では、移動操作子３２を回転自在な構成としたが、図１３に示すように、直線的にスライド自在なもの３２Ａとしても良い。
【００４８】
移動操作子３２Ａは筐体３１に左右方向にスライド自在に支持されており、例えば、図１３に示す位置を中立点とし、右、すなわち、図１３中矢印Ｒ方向及び左、すなわち、図１３中矢印Ｌ方向に移動自在とされ、移動させるために加えていた力を解放すると図示しない弾発手段により上記中立点に戻るようにされている。そして、移動操作子３２Ａを中立点から右方向Ｒに移動させると、カーソルが文字の配列方向に沿って降順に移動し、移動操作子３２Ａを中立点から左方向Ｌに移動させると、カーソルが文字の配列方向に沿って昇順に移動し、移動操作子３２Ａが中点に戻ることによってカーソルの移動が停止する。そして、移動操作子３２Ａの中立点からの移動距離に応じてカーソルの移動スピードが変化するようにしておくと、１乃至数文字分の移動には中立点からの移動距離を短くし、数行に亘るような移動の場合には始めは中立点からの移動距離を大きくしておき目的位置に近くなった時点で中立点からの移動距離を短くする、というような操作をすることによって、素早く、且つ、正確なカーソルの移動を行うことができる。なお、このような、移動操作子とカーソルの移動との関係は、上記した実施の形態における移動操作子３２に関しても適用することができる。すなわち、移動操作子３２に関し中立位置を設定しておき、中立位置からの回転角度に応じてカーソルの移動スピードが変化するようにしておいても良い。或いは、移動操作子３２の回転速度を検出するようにしておき、回転速度が速くなると、カーソルのスピードが加速度的に早くなる等、種々の態様が適用可能であり、このことは移動操作子３２Ａについても同様であり、上記した態様以外の態様での実施も可能である。
【００４９】
そして、リモートコントロール装置３０Ａにあっては、移動操作子３２Ａの操作によってカーソルを移動させ、そして、選択操作子３３の押下により文字列の始点を選択し、選択操作子３４の操作により文字列の終点を選択し、選択操作子３５の操作により文字列を確定させる点は、上記したリモートコントロール装置３０と同様である。
【００５０】
このリモートコントロール装置３０Ａにあっても、カーソルを移動させるための移動操作子によってカーソルは文字の配列方向にのみしか移動しないため、カーソルを所望の位置に素早く正確に移動させることができる。また、選択操作子３３、３４、３５を押下したときに、仮にリモートコントロール装置３０Ａが微動することがあっても、それによって移動操作子３２Ａが動かされることはないので、カーソルの位置が目的とする文字からずれてしまうようなことはない。
【００５１】
なお、上記した各実施の形態では、回転自在な移動操作子３２とスライド自在な回転操作子３２Ａを示したが、回転操作子の動作態様がこれらに限定されることを意味するものではない。その他の動作態様を有するものであっても、該移動操作子を操作することによってカーソルを文字の配列方向に沿ってのみ移動させるものであれば適用可能である。
【００５２】
また、上記した各実施の形態では選択操作子として、始点選択用３３、終点選択用３４、文字列確定用３５と３個の選択操作子を用意したが、選択操作子の数が３個に限定されることを意味するものではない。例えば、選択操作子は１個であっても、文字列の始点が選択されていない状態でカーソルが移動した後最初に選択操作子が押下されたときは「始点選択」となり、「始点選択」後にカーソルが移動された後選択操作子が押下されたときは「終点選択」となり、このようにして、再変換文字列が選択されて別候補文字列の選択状態となっている時に選択操作子が押下されると再変換を必要とする文字列が新たに選択された文字列に確定する、というように、リモートコントロール装置３０又は３０Ａを使用するためのソフトによって各状態毎に１つの選択操作子に割り当てられる機能を異ならせておくことも可能である。
【００５３】
さらに、上記した実施の形態では、誤変換されている文字列の再変換操作を例にとって説明したが、その他の作業、例えば、「コピー」、「切り取り」等の編集操作を行う際の対象箇所の始点選択、終点選択及び範囲確定等に使用することもできる。
【００５４】
さらにまた、上記した実施の形態では、音声認識ソフトを使用する場合について説明したが、その他の文字情報を扱うソフトウエアを使用する場合にも適用可能である。例えば、ＯＣＲソフトを使用する場合、最低１ページ分の入力が行われ、その分が変換されるので、誤変換部分については、上記した音声認識ソフトを使用した場合と同じような再変換作業が必要になる。また、通常のキーボードを使用して入力を行うワープロソフトを使用する場合でも、編集操作に使用して便利である。
【００５５】
また、上記した実施の形態では、文字情報処理機器としてパーソナルコンピュータ２０を示したが、例えば、ＰＤＡ（Ｐｅｒｓｏｎａｌ  Ｄｉｇｉｔａｌ  Ａｓｓｉｓｔｓｎｃｅ）、ネットワーク端末、ワークステーション等文字情報を扱う機器であっても良い。
【００５６】
その他、上記した各実施の形態において示した各部の形状及び構造は、何れも本発明を実施するに際して行う具体化のほんの一例を示したものに過ぎず、これらによって、本発明の技術的範囲が限定的に解釈されることがあってはならないものである。
【００５７】
【発明の効果】
以上に記載したところから明らかなように、本発明文字情報入力装置は、表示手段を有し、キーボード操作によるテキスト変換プログラム、音声信号のテキスト変換プログラム、光学的手法による文字認識プログラム等の適宜のテキスト入力プログラムによって上記表示手段の表示面上に表示されているカーソル位置に文字情報を表示する文字情報処理機器と、該文字情報処理機器に接続されたリモートコントロール装置を備えた文字情報入力装置であって、上記リモートコントロール装置は、上記カーソルを文字の配列方向にのみ移動させる移動操作子と、少なくとも上記表示面上に表示されている文字情報のうち選択する文字列の始点、終点の位置指定及び範囲確定を行う選択操作子とを備えたことを特徴とする。
【００５８】
また、本発明文字情報入力装置におけるリモートコントロール装置は、表示手段を有し、キーボード操作によるテキスト変換プログラム、音声信号のテキスト変換プログラム、光学的手法による文字認識プログラム等の適宜のテキスト入力プログラムによって上記表示手段の表示面上に表示されているカーソル位置に文字情報を表示することができる文字情報処理機器に接続されて上記表示面上に表示された文字情報に対する処理を行う文字情報入力装置におけるリモートコントロール装置であって、上記カーソルを文字の配列方向にのみ移動させる移動操作子と少なくとも上記表示面上に表示されている文字情報のうち選択する文字列の始点、終点の位置指定及び範囲確定を行う選択操作子とを備えたことを特徴とする。
【００５９】
さらに、本発明文字情報入力方法は、キーボード操作によるテキスト変換プログラム、音声信号のテキスト変換プログラム、光学的手法による文字認識プログラム等の適宜のテキスト入力プログラムによって表示手段の表示面上に表示されているカーソル位置に文字情報を表示させる文字情報処理機器に接続したリモートコントロール装置によって上記表示面上に表示された文字情報に対する処理を行う文字情報入力方法であって、上記リモートコントロール装置は移動操作子と選択操作子を備え、上記移動操作子の操作によって上記カーソルを文字の配列方向にのみ移動させ、上記選択操作子の操作によって上記表示面上に表示されている文字情報のうち選択する文字列の始点、終点の位置指定及び範囲確定を行うことを特徴とする。
【００６０】
従って、本発明文字情報入力装置、文字情報入力装置におけるリモートコントロール装置及び文字情報入力方法にあっては、移動操作子の操作によって表示面上のカーソルは文字の配列方向にのみしか移動しない。そのため、操作に熟練を要すること無しに、カーソルを所望の位置に素早く、且つ、正確に移動させることができる。
【００６１】
請求項２、請求項５及び請求項８に記載した発明にあっては、上記移動操作子は筐体に回転自在に支持されていて、それによってカーソルを文字の配列方向にのみ移動させるので、移動操作子の限られたスペース内での移動によってカーソルを長い距離移動させることができ、リモートコントロール装置をコンパクトに構成することができる。
【００６２】
請求項３、請求項６及び請求項９に記載した発明にあっては、上記移動操作子は筐体にスライド自在に支持されていて、それによって上記カーソルを文字の配列方向にのみ移動させるので、カーソルの移動方向と移動操作子の移動方向とに対応関係があり、操作に違和感を生じない。
【図面の簡単な説明】
【図１】図面は本発明文字情報入力装置の全体構成を示す概略図である。
【図２】リモートコントロール装置の拡大平面図である。
【図３】リモートコントロール装置の回路構成の概要を示すブロック図である。
【図４】基本動作を示すフローチャートである。
【図５】文字列の再変換の操作の詳細を示すフローチャート図である。
【図６】図７乃至図１２と共に文字列の再変換の過程を順番に示す表示手段の表示面の一部を示すものであり、本図は、入力音声を示すものである。
【図７】音声入力が終了した直後の変換状態を示すものである。
【図８】再変換を必要とする文字列の選択の様子を示すものである。
【図９】再変換を必要とする文字列に関し、別候補選択メニューが表示されている状態を示すものである。
【図１０】最初の文字列の変換が確定し、次の再変換を必要とする文字列が選択された状態を示すものである。
【図１１】再変換を必要とする文字列に関し、別候補選択メニューが表示されている状態を示すものである。
【図１２】全て正しい文字列に変換され、且つ、確定した状態を示すものである。
【図１３】リモートコントロール装置の別の実施の形態を示す概略斜視図である。
【符号の説明】
１０…文字情報入力装置、２０…パーソナルコンピュータ（文字情報処理機器）、２２…液晶ディスプレイ（表示手段）、３０…リモートコントロール装置、３１…筐体、３２…移動操作子、３３…選択操作子、３４…選択操作子、３５…選択操作子、３０Ａ…リモートコントロール装置、３２Ａ…移動操作子
【図１】
2005018213.tif 000003
【図２】
2005018213.tif 000004
【図３】
2005018213.tif 000005
【図４】
2005018213.tif 000006
【図５】
2005018213.tif 000007
【図６】
2005018213.tif 000008
【図７】
2005018213.tif 000009
【図８】
2005018213.tif 000010
【図９】
2005018213.tif 000011
【図１０】
2005018213.tif 000012
【図１１】
2005018213.tif 000013
【図１２】
2005018213.tif 000014
【図１３】
2005018213.tif 000015